(57)【要約】【課題】  カバーの爪を嵌合する為の筐体の穴が外部から見えず、機能表示シートを取り外し易い電話機筐体を提供する。【解決手段】  機器の外観を形成する筐体が備える第一の回転軸と回転自在に係合し、シートを挟み込んで前記筐体に装着されるカバーの固定構造を有する機器筐体であって、歯車形状を備え前記筐体と回転自在に係合し前記カバーを固定するための嵌合部と、前記嵌合部と嵌合する爪状の前記カバーに備えた嵌合爪と、前記嵌合部の回動に連動して前記シートを押し上げる前記嵌合部に備えたシート押し上げ突起と、を有し、前記カバーを前記筐体の水平面に対して略垂直方向に押し上げた場合に、前記嵌合部が回転し前記嵌合爪との嵌合が外れて前記第一の回転軸を支点に前記カバーが回動し、同時に前記シート押し上げ突起を前記筐体上に突出させて前記シートを押し上げる。【選択図】    図１
2017195502.tif 000002
【特許請求の範囲】
【請求項１】
機器の外観を形成する筐体が備える第一の回転軸と回転自在に係合し、機能表示の為のシートを前記筐体とカバーで挟み込んで前記筐体に装着されるカバーの回転構造を有する機器筐体であって、
歯車形状を備え前記筐体と回転自在に係合し前記カバーを前記筐体に係合するための嵌合部と、
前記嵌合部と嵌合する爪状の前記カバーに備えた嵌合爪と、
前記嵌合部の回動に連動して前記シートを押し上げる前記嵌合部に備えたシート押し上げ突起と、
を有し、
前記カバーの開閉端面を前記筐体の水平面に対して略垂直方向に押し上げた場合に、前記嵌合部が回転し前記嵌合爪との嵌合が外れて前記第一の回転軸を支点に前記カバーが回動し、同時に前記シートを取り出す方向に押し上げて前記シートを押し上げることを特徴とするカバー開閉構造を有する機器筐体。
【発明の詳細な説明】
【技術分野】
【０００１】
本発明は、電話機の外観を構成する表示シートを覆うカバーを装着するカバー開閉構造を有する機器筐体に関する。
【背景技術】
【０００２】
従来の筐体にカバーを開閉する構造として、筐体に装着する為の爪もしくは突起をカバーに設け、筐体に空けた穴にカバーの爪もしくは突起を筐体の穴に差し込み装着しカバーを開閉する構造がある。（例えば特許文献１）
【０００３】
しかしながら、特許文献１に記載されているカバー開閉構造は、カバーに突起を設け筐体に空けた穴に嵌合させる構造の為、上ケースに嵌合用の穴を設ける必要がある。なお、カバーと筐体との間には、ボタンの機能表示用のシートがあり、ボタンの機能表示シートを外から視認可能とする為、カバーは透明にしなければならない。また嵌合の関係上、カバーの突起よりケースの穴を大きくしなければいけない為、穴が外部から見え、筐体外観を損ねてしまう。この問題を解決する手段としてカバーを二色成形にするという工法がある。この場合、機能表示部分を透明、その他の部分を有色とすることができるため、穴が見えなくなる。しかし、二色成形の場合部品のコストがかかってしまう。
【０００４】
さらに、前記機能表示シートは使用者がボタンの機能を自由に書き込みできるものであり、取り外して表示内容を書き変えることが多々あるが、特許文献１に記載されている構造では、シートを取り外すことを考慮した構造がない為、シートを筐体から取り外す際、シートが折れることがある。
【先行技術文献】
【特許文献】
【０００５】
【特許文献１】特開２００７−３３６２６８号公報
【発明の概要】
【発明が解決しようとする課題】
【０００６】
上記の問題を解決するために、カバーの爪を嵌合する為の筐体の穴が外部から見えず、機能表示シートを取り外し易い電話機筐体を提供することにある。
【０００７】
上記の課題を解決するために、本発明は機器の外観を形成する筐体が備える第一の回転軸と回転自在に係合し、機能表示の為のシートを前記筐体とカバーで挟み込んで前記筐体に装着されるカバーの回転構造を有する機器筐体であって、歯車形状を備え前記筐体と回転自在に係合し前記カバーを前記筐体に係合するための嵌合部と、前記嵌合部と嵌合する爪状の前記カバーに備えた嵌合爪と、前記嵌合部の回動に連動して前記シートを押し上げる前記嵌合部に備えたシート押し上げ突起と、を有し、前記カバーの開閉端面を前記筐体の水平面に対して略垂直方向に押し上げた場合に、前記嵌合部が回転し前記嵌合爪との嵌合が外れて前記第一の回転軸を支点に前記カバーが回動し、同時に前記シートを取り出す方向に押し上げて前記シートを押し上げることを特徴とする。
【０００８】
本発明によれば、 筐体側に爪を隠す為の構造を有している為、上記課題である意匠面に穴が露出することがなく機能表示シートを取り出しやすいカバー開閉構造を有した筐体を提供できる。
【図面の簡単な説明】
【０００９】
【図１】本発明の実施の一形態に係るカバーを閉じた状態を示す斜視図
【図２】本発明の実施の一形態に係るカバーを閉じた状態を示す回転軸の詳細図
【図３】爪隠しの斜視図
【図４】(a)図１のＡ−Ａ断面図、（ｂ）図１のＢ−Ｂ断面図、
【図５】本発明の実施の一形態に係るカバーを開けた状態を示す斜視図
【図６】図５のＣ−Ｃ断面図
【発明を実施するための形態】
【００１０】
以下に、図面を参照しながら、本発明の実施の一形態について説明する。
【００１１】
図１は、本発明の実施の一形態に係るカバーが閉じた態の斜視図を示す。１０は筐体、１１は指引っ掛け部、１２はボタン、２０はカバー、３０は爪隠しである。筐体１０には、指引っ掛け部１１が設けてあり、筐体１０にボタン１２とカバー２０が装着された状態である。この時、カバー２０は爪隠し３０により固定されている状態である。
【００１２】
図２は、本発明の実施の一形態に係るカバーを閉じた状態を示す回転軸の詳細図を示す。１３はカバー２０を開閉させるための第一の回転軸、２１は第一の回転軸を係合する為の第一の軸受け部であり、第一の回転軸１３に第一の軸受け部２１を係合することで、第一の回転軸１３を支点にカバー２０を開閉させることが可能である。
【００１３】
図３は、筐体１０に嵌合させる爪隠しの斜視図を示す。３１は筐体１０に爪隠し３０を装着する為の第二の回転軸、３２はカバー２０と係合する為の第一の嵌合爪、３３は機能表示シートを押し出す為の押し出し突起部である。３１の第一の嵌合軸は、爪隠し３０の両端から突出しており、３２の嵌合爪はカバー２０の回転時に爪隠し３０を連動させるため、歯車形状とする。
【００１４】
図４（a）は図１のＡ−Ａ断面図を示す。図４（ｂ）は図１のＢ−Ｂ断面図を示す。図４（a）の１４は第一の嵌合軸を係合する為の第二の受け軸である。図４（ｂ）の２３はカバー穴であり、ボタン１２がカバー穴に干渉しないよう、ボタン１２より大きい穴とする。
【００１５】
図４(a)、(b)を用いて筐体１０とカバー２０の係合について説明する。
筐体１０には爪隠し３０が取り付けられており、爪隠し３０には第二の回転軸３１が両端から突出し第二の受け軸１４に係合されている。爪隠し３０に設けられた第一の嵌合爪３２は歯車形状をしている。また、カバー２０に設けられた第二の嵌合爪２２も細かい凹凸を設けており、第一の嵌合爪３２と係合することでカバー２０を固定、連動させる。
【００１６】
この時、爪隠し３０は筐体１０と面が揃っている状態であり、筐体１０と爪隠し３０を同色にすることで、第二の嵌合爪２２が意匠面に出ることがない為、爪隠し３０を目立たせなくする。
また、カバー穴２３の第一の軸受部２１側の側面と第二の嵌合爪２２側の抜き勾配をそれぞれ変えることにより、カバー２０回転時にボタン１２が干渉しないようにする。
【００１７】
図５は本発明の実施の一形態に係るカバー２０を開けた状態の斜視図を示す。指引っ掛け部１１に指を引っ掛け、筐体１０に対し垂直方向に押し上げ、カバー２０を回転させた状態である。これにより、カバー２０は図１の固定状態から第一の回転軸１３を支点にカバー２０を開閉させることが可能である。
【００１８】
図６は、図５のＣ−Ｃ断面図である。
【００１９】
図５、図６を用いて、詳細な動作について説明する。筐体１０に設けられた指引っ掛け部１１に指を引っ掛け、カバー２０を垂直方向に押し上げることにより第一の回転軸１３を支点にカバー２０が開閉する。それと連動しカバー２０が垂直方向に押し上げられた際、第二の嵌合爪２２が垂直方向に持ちあがる。
【００２０】
カバー２０が開閉することにより、第一の嵌合爪３２と第二の嵌合爪２２と連動し第二の回転軸３１を支点に回転する。第一の嵌合爪３２が端面まで回転した時、カバー２０と爪隠し３０の係合が解かれる。
【００２１】
また、カバー２０を開閉させた際、押し出し上げ突起部３２が意匠面に突出することで、機能表示シート４０を持ち上げる。指引っ掛け部１１に指を入れることで、容易に取り外すことが可能となる。
【００２２】
なお、カバー２０と爪隠し３０は、回転する部品の為、筐体１０と異なる材料を選定することで、摺動時、軋み音をなくすことが可能である。
【符号の説明】
【００２３】
１０  筐体
１１  引っ掛け部
１２  ボタン
１３  第一の回転軸
１４  第二の軸受け部
２０  カバー
２１  第一の軸受け部
２２  第二の嵌合爪
２３  カバー穴
３０  爪隠し
３１  第二の回転軸
３２  第一の嵌合爪
３３  押し上げ突起部
４０  機能表示シート
【図１】
2017195502.tif 000003
【図２】
2017195502.tif 000004
【図３】
2017195502.tif 000005
【図４】
2017195502.tif 000006
【図５】
2017195502.tif 000007
【図６】
2017195502.tif 000008